(57)【要約】【課題】光が不十分な環境で通話を切断する際等に、携帯端末が人体から離れていることを、電界レベル差により検出し、キーの配置を容易に認識可能にすること。【解決手段】携帯端末１０１は、受光部１０８で周囲が暗い状態であることを検出し、通話中でキーまたは表示部のライトが消灯している場合、通話中にキー操作をしたり、表示部の情報を確認するため、制御部１０３が人体から離れた状態を電界レベル差に基づいて検出し、キー部用ライト１０５または表示部用ライト１０７を点灯する。【選択図】図１
2008263358.tif 000002
【特許請求の範囲】
【請求項１】
周囲が暗い状態であることを検出し、
通話中でキーまたは表示部のライトが消灯している場合、通話を終了または中断するため、自機が人体から離れた状態を電界レベル差に基づいて検出し、キーまたは表示部分のライトを点灯することを特徴とする携帯端末。
【請求項２】
周囲が暗い状態であることを検出し、
通話中でキーまたは表示部のライトが消灯している場合、通話中にキー操作をしたり、表示部の情報を確認するため、自機が人体から離れた状態を電界レベル差に基づいて検出し、キーまたは表示部分のライトを点灯することを特徴とする携帯端末。
【請求項３】
携帯端末で周囲が暗い状態であることを検出し、
通話中でキーまたは表示部のライトが消灯している場合、通話を終了または中断するため、携帯端末が人体から離れた状態を電界レベル差に基づいて検出し、キーまたは表示部分のライトを点灯することを特徴とする携帯端末のキー認識方法。
【請求項４】
携帯端末で周囲が暗い状態であることを検出し、
通話中でキーまたは表示部のライトが消灯している場合、通話中にキー操作をしたり、表示部の情報を確認するため、携帯端末が人体から離れた状態を電界レベル差に基づいて検出し、キーまたは表示部分のライトを点灯することを特徴とする携帯端末のキー認識方法。
【請求項５】
コンピュータシステムに請求項１記載の機能を実現させることを特徴とするプログラム。
【請求項６】
コンピュータシステムに請求項２記載の機能を実現させることを特徴とするプログラム。
【発明の詳細な説明】
【技術分野】
【０００１】
本発明は、光がささない、またはさし方が不十分な環境で通話を切断するときやキー操作をする際、キーの配置が容易に認識できる技術に関する。
【背景技術】
【０００２】
従来、通話を切断したい時や、通話中にキー操作を実施したい場合に、キーや表示部を自動的に点灯等、ユーザーが認識しやすくする機能はなかった。
【０００３】
従来は、図４に示すように、キー操作や着信等により（ステップ４０１）、キー、表示部のライトが点灯（ステップ４０２）する。一定時間経過すると（ステップ４０３）、ライトが消灯する（ステップ４０４）という仕組みであった。
【０００４】
ここで、携帯電話端末は、表示部と、報知部と、受話用スピーカが操作者から所定距離以上離れたか否かを検知する検知部と、受信した音声データを文字データに変換する音声−文字変換部と、制御部とを備え、音声通話中に、受話用スピーカが操作者から所定距離以上離れた状態で、音声データを受信した場合、制御部は、報知部から報知動作を行うとともに、音声−文字変換部を起動し、表示部に文字形式で音声データを出力することで、スピーカを耳から離した場合でも、通話相手が発話していること、或いは、その内容を知ることのできる機構を備えた携帯電話端末を提供することができる技術が提案されている（例えば、特許文献１参照）。
【特許文献１】特開２００６−２４５９１９号公報
【発明の開示】
【発明が解決しようとする課題】
【０００５】
しかしながら、この従来技術は、次のような問題点があった。光がささない、またはさし方が不十分な環境で通話を切断するときやキー操作をする際、携帯端末が人体から離れていることを、電界レベル差により検出し、キーの配置が容易に認識することができなかった。
【０００６】
本発明は、以上のような課題を解決するためになされたもので、光がささない、またはさし方が不十分な環境で通話を切断するときやキー操作をする際、携帯端末が人体から離れていることを、電界レベル差により検出し、キーの配置を容易に認識可能にすることを目的とする。
【課題を解決するための手段】
【０００７】
本発明は、周囲が暗い状態であることを検出し、
通話中でキーまたは表示部のライトが消灯している場合、通話を終了または中断するため、自機が人体から離れた状態を電界レベル差に基づいて検出し、キーまたは表示部分のライトを点灯する携帯端末を提供する。
【０００８】
また、本発明は、周囲が暗い状態であることを検出し、
通話中でキーまたは表示部のライトが消灯している場合、通話中にキー操作をしたり、表示部の情報を確認するため、自機が人体から離れた状態を電界レベル差に基づいて検出し、キーまたは表示部分のライトを点灯する携帯端末を提供する。
【０００９】
また、本発明は、携帯端末で周囲が暗い状態であることを検出し、
通話中でキーまたは表示部のライトが消灯している場合、通話を終了または中断するため、携帯端末が人体から離れた状態を電界レベル差に基づいて検出し、キーまたは表示部分のライトを点灯する携帯端末のキー認識方法を提供する。
【００１０】
また、本発明は、携帯端末で周囲が暗い状態であることを検出し、
通話中でキーまたは表示部のライトが消灯している場合、通話中にキー操作をしたり、表示部の情報を確認するため、携帯端末が人体から離れた状態を電界レベル差に基づいて検出し、キーまたは表示部分のライトを点灯する携帯端末のキー認識方法を提供する。
【発明の効果】
【００１１】
本発明によれば、光がささない、またはさし方が不十分な環境で通話を切断するときやキー操作をする際、携帯端末が人体から離れていることを、電界レベル差により検出し、キーの配置を容易に認識可能にすることができる。
【発明を実施するための最良の形態】
【００１２】
以下、本発明の実施の形態について図面を参照して詳細に説明する。
【００１３】
図１は、本実施の形態における携帯端末の全体の構成図である。携帯端末１０１は無線部１０２と、各デバイスを制御する制御部１０３と、キー部１０４と、キー部用ライト１０５と、表示部１０６と、表示部用ライト１０７と、周囲の明るさをモニターする受光部１０８と、受光部より取り込まれた光の量を判定するための規定値を格納、電界レベルを判定するための規定値等を格納するメモリ１０９とを持つ。
【００１４】
次に、本発明の実施の形態の動作を図２、３を使って説明する。図２の上側は通話のため、携帯端末２０１は人体２０３と隣接した状態である。このときの携帯端末２０１が認識する電界レベルを電界レベル２０２と定義する。
【００１５】
また、図２の下側は通話を終了するため、または通話中にキー操作をしたり、表示部の情報を確認するため、携帯端末２０４を人体２０６から離した状態である。
【００１６】
このときの携帯端末２０４が認識する電界レベルを電界レベル２０５と定義する。一般に、電界レベルにおいて、携帯端末２０１は人体２０３の影響を受けやすく、携帯端末２０４は人体２０６の影響を受けにくいという特性がある。この特性により、電界レベル２０２と電界レベル２０５には差分が生まれる。
【００１７】
本差分については図３のステップ３０３にて利用される。
【００１８】
以下、図３を参照して、動作の説明を行う。携帯端末は周囲の明るさを受光部１０８でモニターし、あらかじめメモリ１０９に格納された明度の閾値と比較する。閾値より小さい場合は周囲が暗いと判断する（ステップ３０１）。
【００１９】
通話中でキー部または表示部のライトが消灯しているか確認する（ステップ３０２）。
【００２０】
消灯している場合は上記で説明した電界レベル２０２と電界レベル２０５の差分（電界変動値と定義する）があらかじめメモリ１０９に格納された電界変動値の閾値と比較する（ステップ３０３）。
【００２１】
ある一定時間内の電界変動値が、閾値より大きい場合は図２の下側に示すように、携帯端末２０４が人体２０６から離れた状態であると判断するし、キー部、表示部のライトを点灯する（ステップ３０４）。
【００２２】
終話する場合は本実施例の動作は完了する。
【００２３】
一方、終話しない場合はステップ３０２へ戻る（ステップ３０５）。
【００２４】
上述の本実施の形態によれば、光がささない、またはさし方が不十分な環境で通話を切断するときやキー操作をする際、キーの配置が容易に認識できるという効果が得られる。
【００２５】
なお、上述する各実施の形態は、本発明の好適な実施の形態であり、本発明の要旨を逸脱しない範囲内において種々変更実施が可能である。例えば、携帯端末の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００２６】
【図１】本発明の実施の形態に係る携帯端末の全体の構成図である。
【図２】本発明の実施の形態に係る電界レベルの検出を示した図である。
【図３】本発明の実施の形態に係る処理動作を示すフローチャートである。
【図４】従来の点灯の仕組みを説明する図である。
【符号の説明】
【００２７】
１０１    携帯端末
１０２    無線部
１０３    制御部
１０４    キー部
１０５    キー部用ライト
１０６    表示部
１０７    表示部用ライト
１０８    受光部
１０９    メモリ
【図１】
2008263358.tif 000003
【図２】
2008263358.tif 000004
【図３】
2008263358.tif 000005
【図４】
2008263358.tif 000006